(57)【要約】【課題】ウェイトバーの上限位置を確実に規制しながら、スクリーンの巻径の変化にも対応し得るストッパー装置を提供する。【解決手段】巻取軸にスクリーン１６を巻取りあるいは巻戻してスクリーン１６を昇降し、該スクリーン１６の下端に取着されたウェイトバーの上限位置を規制するストッパー装置１９を備えたロールブラインドにおいて、ストッパー装置１９は、巻取軸の近傍にウェイトバー１７の上限を規制するストッパー部材２１を設け、該ストッパー部材を巻取軸の巻径に追随して移動可能とした。【選択図】図５
2007291646.tif 000002
【特許請求の範囲】
【請求項１】
巻取軸にスクリーンを巻取りあるいは巻戻してスクリーンを昇降し、該スクリーンの下端に取着されたウェイトバーの上限位置を規制するストッパー装置を備えたロールブラインドにおいて、
前記ストッパー装置は、前記ウェイトバーの上限を規制するストッパー部材を前記巻取軸の近傍に設け、前記ストッパー部材を前記巻取軸の巻径に追随して移動可能としたことを特徴とするロールブラインドのストッパー装置。
【請求項２】
前記巻取軸を回転可能に支持するサイドブラケットに前記ストッパー部材を前後方向に移動可能に支持し、前記ストッパー部材の後端に巻径検出片を設け、該巻径検出片が巻取軸に巻き取られたスクリーンに摺接するように、前記ストッパー部材を付勢手段で付勢したことを特徴とする請求項１記載のロールブラインドのストッパー装置。
【請求項３】
前記巻径検出片は、前記ストッパー部材の後端部を前記巻取軸の中央部に向かって屈曲して前記巻取軸に巻き取られるスクリーンに摺接可能としたことを特徴とする請求項２記載のロールブラインドのストッパー装置。
【請求項４】
前記ストッパー部材は、前記サイドブラケットに固定したブラケットシャフトに移動可能に支持し、前記付勢手段は前記ブラケットシャフトを支点として前記ストッパー部材を付勢するコイルスプリングで構成したことを特徴とする請求項２又は３記載のロールブラインドのストッパー装置。
【請求項５】
前記ウェイトバーの端部には、前記ストッパー部材に当接するキャップを取着し、該キャップを軟質材で形成したことを特徴とする請求項１乃至４のいずれか１項に記載のロールブラインドのストッパー装置。
【請求項６】
前記ストッパー装置を、前記巻取軸の両端部に設けたことを特徴とする請求項１乃至５のいずれか１項に記載のロールブラインドのストッパー装置。
【請求項７】
前記ストッパー部材を前記巻取軸の長手方向中央部の一箇所に位置させたことを特徴とする請求項１記載のロールブラインドのストッパー装置。
【発明の詳細な説明】
【技術分野】
【０００１】
この発明は、ロールブラインドのウェイトバーの上限位置を設定するストッパー装置に関するものである。
【背景技術】
【０００２】
ロールブラインドは、取付面に回転可能に支持された巻取軸からスクリーンが吊下支持され、操作装置により巻取軸を回転させてスクリーンを巻取りあるいは巻戻すことにより、同スクリーンを昇降可能である。
【０００３】
図１１は、巻取軸内に配設される捩りコイルスプリングの付勢力を利用してスクリーンを巻き上げるロールブラインドを示す。そのロールブラインドは、フレーム１が取付ブラケット２を介して取付面３に固定され、そのフレーム１の両端部に取着されたサイドブラケット４に巻取軸５が回転可能に支持されている。
【０００４】
巻取軸５にはスクリーン６が巻着され、そのスクリーン６の下端にウェイトバー７が取着されている。そして、巻取軸５内に配設される捩りコイルスプリングの付勢力により同巻取軸５がスクリーン巻取り方向に回転されると、同図に示すように、ウェイトバー７がフレーム１と巻取軸５に巻き取られたスクリーン６との間に挟まれるまで上昇する。すなわち、ウェイトバー７がフレーム１と巻取軸５との間に挟まれる位置が、ウェイトバー７の上限位置となる。
【０００５】
ウェイトバー７の側面には、ゴム材等のダンパー部材が取着され、フレーム１に当接する際の衝突音を軽減するようになっている。
特許文献１には、ウェイトバーの上限位置を巻取軸の真下に規制する矯正部材を備えたロールブラインドが開示されている。
【特許文献１】特開平１１−２４７５５６号公報
【発明の開示】
【発明が解決しようとする課題】
【０００６】
上記のようなロールブラインドでは、スクリーン６の昇降ストロークが大きくなると巻取軸５へのスクリーン６の巻径が大きくなる。すると、ウェイトバー７が上限に達したとき、フレーム１に当接せず、取付ブラケット２あるいは取付面３に衝突して騒音を発生させ、あるいは取付ブラケット２あるいは取付面３を損傷することがある。
【０００７】
また、捩りコイルスプリングの付勢力により、巻取軸５が高速で回転され、スクリーン６が勢いよく巻き上げられるとき、ウェイトバー７が取付ブラケット２あるいは取付面３に衝突する。
【０００８】
このような不具合は、操作チェーンの操作によりスクリーンを昇降するロールブラインドでも発生することがある。
特許文献１に記載された矯正部材では、ウェイトバーの上限位置を巻取軸の真下に規制することはできるが、巻取軸の巻径の増大に対応することはできず、巻径が増大する場合には、別部品を用意する必要がある。また、矯正部材が巻取軸の両端部に露出されるため、美観上好ましくない。
【０００９】
この発明の目的は、ウェイトバーの上限位置を確実に規制しながら、スクリーンの巻径の変化にも対応し得るストッパー装置を提供することにある。
【課題を解決するための手段】
【００１０】
請求項１では、巻取軸にスクリーンを巻取りあるいは巻戻してスクリーンを昇降し、該スクリーンの下端に取着されたウェイトバーの上限位置を規制するストッパー装置を備えたロールブラインドにおいて、前記ストッパー装置は、前記ウェイトバーの上限を規制するストッパー部材を前記巻取軸の近傍に設け、前記ストッパー部材を前記巻取軸の巻径に追随して移動可能とした。
【００１１】
請求項２では、前記巻取軸を回転可能に支持するサイドブラケットに前記ストッパー部材を前後方向に移動可能に支持し、前記ストッパー部材を付勢手段で前方に向かって付勢し、前記ストッパー部材の後端に、前記巻径を検出する巻径検出片を設けた。
【００１２】
請求項３では、前記巻径検出片は、前記ストッパー部材の後端部を前記巻取軸の中央部に向かって屈曲して前記巻取軸に巻き取られるスクリーンに摺接可能とした。
請求項４では、前記ストッパー部材は、前記サイドブラケットに固定したブラケットシャフトに移動可能に支持し、前記付勢手段は前記ブラケットシャフトを支点として前記ストッパー部材を付勢するコイルスプリングで構成した。
【００１３】
請求項５では、前記ウェイトバーの端部には、前記ストッパー部材に当接するキャップを取着し、該キャップを軟質材で形成した。
請求項６では、前記ストッパー装置を、前記巻取軸の両端部に設けた。
【００１４】
請求項７では、前記ストッパー部材を前記巻取軸の長手方向中央部の一箇所に位置させた。
【発明の効果】
【００１５】
本発明によれば、ウェイトバーの上限位置を確実に規制しながら、スクリーンの巻径の変化にも対応し得るストッパー装置を提供することができる。
【発明を実施するための最良の形態】
【００１６】
（第一の実施の形態）
以下、この発明を具体化した第一の実施の形態を図面に従って説明する。図１及び図２に示すロールブラインドは、フレーム１１の両端部にサイドブラケット１２が取着され、両サイドブラケット１２間に巻取軸１３が回転可能に支持されている。そして、フレーム１１が取付ブラケット１４を介して取付面１５に取着されている。
【００１７】
前記巻取軸１３にはスクリーン１６が巻着され、その巻取軸１３から垂下されるスクリーン１６の下端にウェイトバー１７が取着されている。そして、ウェイトバー１７の長手方向中間部からプルコード１８が垂下されている。前記ウェイトバー１７の両端部には、ゴム等の軟質材で形成されたキャップ１７ａが嵌着されている。
【００１８】
前記巻取軸１３の両端側において、前記両サイドブラケット１２には前記ウェイトバー１７の上限位置を規制するストッパー装置１９が形成されている。そのストッパー装置１９は、図４に示すように、サイドブラケット１２に固定されたブラケットシャフト２０と、そのブラケットシャフト２０に対し前後方向すなわち図４において左右方向に移動可能に支持されるストッパー部材２１と、そのストッパー部材２１を巻取軸１３の後方に向かって付勢するコイルスプリング２２とから構成されている。
【００１９】
前記ブラケットシャフト２０は、円板の上下部を水平方向に切除して、水平辺２３ａ，２３ｂが形成されている。前記ストッパー部材２１は、板状の部材の中央部に前記ブラケットシャフト２０を嵌合可能とした嵌合孔２４が形成されている。その嵌合孔２４は、前記ブラケットシャフト２０の形状を前後方向に伸長した形状であり、その上縁部及び下縁部に前記水平辺２３ａ，２３ｂと摺動する直線部２５ａ，２５ｂが形成されている。従って、ストッパー部材２１は、その直線部２５ａ，２５ｂがブラケットシャフト２０の水平辺２３ａ，２３ｂに摺接する状態で、前後方向に移動可能に支持されている。
【００２０】
前記ストッパー部材２１の後端部は、前記巻取軸１３の中央部に向かって直角に屈曲されて、巻取軸１３に巻き取られたスクリーン１６の両側部に摺接可能とした巻径検出片２６が形成されている。この巻径検出片２６は、前記ウェイトバー１７両端のキャップ１７ａの昇降軌跡上に位置している。
【００２１】
また、前記ブラケットシャフト２０の前端部に対向する位置において、前記ストッパー部材２１には凹部２７が形成され、その凹部２７内にはブラケットシャフト２０の前端縁に当接するコイルスプリング２２が配設されている。従って、ストッパー部材２１はブラケットシャフト２０を支点とするコイルスプリング２２の伸び方向の付勢力により、常時前方すなわち図４に示す矢印Ａ方向に付勢されている。
【００２２】
前記巻取軸１３内には、同巻取軸１３にスクリーン巻取り方向の回転力を付与する捩りコイルスプリングと、その捩りコイルスプリングの付勢力に抗してスクリーンを所望位置に吊下支持する公知のクラッチ装置が内蔵されている。
【００２３】
次に、上記のように構成されたロールブラインドの動作を説明する。図１に示すように、スクリーン１６を下限まで下降させた状態では、図４に示すように、巻取軸１３からスクリーン１６がほぼ巻戻された状態である。そして、ストッパー部材２１はコイルスプリング２２の付勢力により、その巻径検出片２６が巻取軸１３上のスクリーン１６に当接するまで、前方へ移動している。
【００２４】
この状態から、捩りコイルスプリングの付勢力により巻取軸１３を回転させて、スクリーン１６を巻取軸１３に巻き取ると、スクリーン１６が上昇するとともに、巻取軸１３の巻径が増大する。すると、巻取軸１３の両端部でスクリーン１６に摺接するストッパー部材２１は、巻径の増大にともなってコイルスプリング２２の付勢力に抗して後方へ移動する。
【００２５】
そして、図３及び図５に示すように、スクリーン１６が巻取軸１３にほぼ巻き取られると、ウェイトバー１７両端部のキャップ１７ａがストッパー部材２１に当接して、それ以上の上昇が阻止される。
【００２６】
一方、プルコード１８を操作して、スクリーン１６を引き下げれば、スクリーン１６が巻取軸１３から巻戻されて、その巻径が減少する。すると、コイルスプリング２２の付勢力によりストッパー部材２１が前方に移動する。
【００２７】
上記のように構成されたロールブラインドでは、次に示す作用効果を得ることができる。
（１）ストッパー部材２１により、ウェイトバー１７の上限位置を巻取軸１３の巻径に関わらず、同巻取軸１３の下方位置に規制することができる。従って、ウェイトバー１７と取付ブラケット１４あるいは取付面１５との衝突を防止することができる。
（２）ストッパー部材２１を、巻取軸１３の巻径に応じて前後動させることができる。従って、巻径の異なるロールブラインドに対しても、共通のストッパー装置１９を使用することができる。
（３）ストッパー部材２１の巻径検出片２６は巻取軸１３の後方に位置している。従って、ストッパー装置１９はストッパー部材２１の前端部を除いて室内側に露出しないので、美観の低下を防止することができる。
（４）ゴム材にてなるキャップ１７ａがストッパー部材２１に当接するので、キャップ１７ａとストッパー部材２１との衝突音を低減することができる。
（５）ウェイトバー１７の両端部をストッパー部材２１に当接させるので、ウェイトバー１７の上限位置を安定して規制することができる。
（第二の実施の形態）
図６〜図８は、第二の実施の形態を示す。この実施の形態は、ストッパー部材を巻取軸の長手方向中央部に設ける構成としたものである。第一の実施の形態と同一構成部分は、同一符号を付して説明する。
【００２８】
図６に示すように、フレーム１１の長手方向中央部にはストッパー部材３１が取着されている。ストッパー部材３１は、上片３２と巻径検出片３３が直角に屈曲された板材で構成され、その上片３２がフレーム１１上に支持され、巻径検出片３３が巻取軸１３の前側に垂下されている。
【００２９】
前記上片３２の中央部には、前後方向に長四角状の係止孔３４が形成されている。そして、図８に示すように、フレーム１１の下方から係止具３５の係止片３６を係止孔３４の上方まで挿通し、その係止具３５を回転させることにより、図６に示すように、係止片３６が上片３２に保持された状態となる。従って、ストッパー部材３１はフレーム１１の長手方向に移動不能に支持され、係止孔３４の前後長の範囲で前後方向に移動可能である。
【００３０】
また、前記ストッパー部材３１はフレーム１１を支点とするコイルスプリング（図示しない）の付勢力により常に前方（室内側）すなわち図７において左方へ付勢されている。従って、図８に示すように、巻径検出片３３は巻取軸１３に巻き取られたスクリーン１６に当接している。
【００３１】
前記巻径検出片３３の下端部には、同巻径検出片３３から後方に分岐して下方へ鉤型に突出する案内片３７が形成されている。
スクリーン１６の下端に取着されるウェイトバー３８の後部には上方に延びる突条３９が形成され、その突条３９とウェイトバー３８の本体部分との間に溝部４０が形成されている。
【００３２】
そして、図８に示すように、ウェイトバー３８が上限まで引き上げられると、突条３９が前記巻径検出片３３と案内片３７との間に案内され、巻径検出片３３の下端が係合するようになっている。
【００３３】
上記のように構成されたロールブラインドでは、図７に示すように、スクリーン１６が巻戻されている状態では、ストッパー部材３１はコイルスプリングの付勢力により前方へ移動している。
【００３４】
この状態から、スクリーン１６が巻取軸１３に巻き取られて、巻取軸１３の巻径が増大すると、ストッパー部材３１が順次後方へ移動する。そして、図８に示すように、ウェイトバー３８が巻取軸１３近傍まで引き上げられると、ストッパー部材３１の巻径検出片３３の下端が溝部４０に係合して、ウェイトバー３８のそれ以上の上昇が阻止される。
【００３５】
上記のように構成されたロールブラインドでは、次に示す作用効果を得ることができる。
（１）ストッパー部材３１により、ウェイトバー３８の上限位置を巻取軸１３の巻径に関わらず、同巻取軸１３の下方位置に規制することができる。従って、ウェイトバー３８と取付ブラケット１４あるいは取付面１５との衝突を防止することができる。
（２）ストッパー部材３１を、巻取軸１３の巻径に応じて前後動させることができる。従って、巻径の異なるロールブラインドに対しても、共通のストッパー部材３１を使用することができる。
（３）ストッパー部材３１の巻径検出片３３は巻取軸１３の後方に位置している。従って、ストッパー部材３１が室内側に露出しないので、美観の低下を防止することができる。
（４）巻取軸１３の長手方向中央部の一箇所に位置させたストッパー部材３１によりウェイトバー３８の上限位置を規制することができる。従って、第一の実施の形態に比して、ストッパー装置の部品点数を削減することができる。
（第三の実施の形態）
図９及び図１０は、第三の実施の形態を示す。この実施の形態は、ストッパー部材３１を前後動可能に支持する係止具４１を取付面１５に固定する構成としたものである。
【００３６】
図９に示すように、巻取軸１３を回転可能に支持するサイドブラケット４２は、取付面１５に固定される。また、ストッパー部材３１を前後動可能に支持する係止具４１も、取付ビス４３で取付面１５に固定される。ストッパー部材３１は、前記第二の実施の形態と同様な構成である。
【００３７】
このような構成により、サイドブラケット１２を取付面に直接に固定するロールブラインドにおいて、第二の実施の形態と同様な作用効果を得ることができる。
上記実施の形態は、以下の態様で実施してもよい。
・上記各実施の形態のストッパー装置は、巻取軸の一端から垂下される操作チェーンの操作により巻取軸を回転させてスクリーンを昇降するロールブラインドに使用することもできる。
・第一の実施の形態において、ストッパー部材を付勢する付勢手段は、ブラケットシャフトとストッパー部材との間以外の位置に配設してもよい。
・第一の実施の形態において、ストッパー装置は巻取軸の一端部にのみ設けてもよい。
【図面の簡単な説明】
【００３８】
【図１】第一の実施の形態のロールブラインドを示す正面図である。
【図２】第一の実施の形態のロールブラインドを示す側面図である。
【図３】スクリーンを上限まで引き上げた状態を示す側面図である。
【図４】ストッパー装置の動作を示す側面図である。
【図５】ストッパー装置の動作を示す側面図である。
【図６】第二の実施の形態を示す斜視図である。
【図７】第二の実施の形態を示す側面図である。
【図８】第二の実施の形態を示す断面図である。
【図９】第三の実施の形態を示す斜視図である。
【図１０】第三の実施の形態を示す側面図である。
【図１１】従来例を示す側面図である。
【符号の説明】
【００３９】
１２，４２…サイドブラケット、１３…巻取軸、１６…スクリーン、１７，３８…ウェイトバー、１９…ストッパー装置、２１，３１…ストッパー部材、２２…付勢手段（コイルスプリング）、２６，３３…巻径検出片。
【図１】
2007291646.tif 000003
【図２】
2007291646.tif 000004
【図３】
2007291646.tif 000005
【図４】
2007291646.tif 000006
【図５】
2007291646.tif 000007
【図６】
2007291646.tif 000008
【図７】
2007291646.tif 000009
【図８】
2007291646.tif 000010
【図９】
2007291646.tif 000011
【図１０】
2007291646.tif 000012
【図１１】
2007291646.tif 000013